(57)【特許請求の範囲】
【請求項１】
内側に竿を受ける竿受部が設けられた枠部を有するアーム部材と、建築物に直接または間接的に取り付けられるベース部材とからなり、前記ベース部材は、前記建築物に取り付けられる取付部と、前記アーム部材を保持する保持部と、前記保持部の先端付近に位置した支持部とを備え、前記アーム部材は、前記枠部の基端側の内側には、前記アーム部材が垂直以外の所定の角度で前記支持部に上方から当接する複数の受け部が設けられ、前記枠部の基端側の外側には、前記アーム部材の自重により前記受け部を中心として回動させる力に抗して前記保持部に当接する係止部が設けられ、前記係止部が当接する前記保持部の所定箇所には前記係止部が当接して固定される突部が設けられる物干装置において、
前記枠部に設けられる前記係止部は、前記アーム部材の自重により前記受け部を中心として回動させる力に抗して前記突部と当接する略円弧状の当接壁面上であって、前記当接壁面から前記枠部の外側方向に突出し間隙を有して配置され、前記受け部近傍に設けられる第１係止部と、前記第１係止部の下方位置に設けられる第２係止部とを備え、
前記取付部と一体に形成される前記保持部は、互いに所定間隔を有して対向する一対の側壁面を備え、前記側壁面の内壁面には内側へ突出する一対の前記支持部及び前記突部が設けられ、
前記突部は、前記当接壁面及び前記係止部に当接可能な形状を有し垂直方向の上方から下方に間隙を有して順に配置される第１突部と第２突部とを備え、
前記アーム部材における一部の枠部を間断する間隙部に前記枠部の内側面より内側方向に突出する突起部を有する封止部材を着脱可能に固着し、
前記受け部に対する前記支持部の配置を調節し、
前記第１突部と前記第２突部との間に前記第１係止部又は前記第２係止部を配置して下方より前記第１突部に当接させるとともに、前記当接壁面を前記第１突部及び前記第２突部に当接にさせることで前記アーム部材を支持する上方又は下方傾斜状態と、
前記第２係止部を下方より前記第２突部に当接させるとともに、前記当接壁面を前記第１突部及び前記第２突部に当接にさせることで前記アーム部材を支持する水平状態と、
前記支持部が前記アーム部材の枠部の内側に位置し、前記支持部に沿って前記アーム部材が当該長手方向であって垂直方向に移動可能に設けられ、前記突起部が前記支持部に当接して前記アーム部材が係止する垂直状態とを、
選択的に調節可能にしたことを特徴とする物干装置。
【請求項２】
前記保持部における互いに対向する一対の内壁面において、前記内壁面と前記突部と前記支持部とを覆設するカバー部材を備えた請求項１に記載の物干装置。
【発明の詳細な説明】
【技術分野】
【０００１】
本発明は、建物におけるベランダ等に設置され、物干竿を掛架して使用する物干装置に関するものである。
【背景技術】
【０００２】
従来より、建物におけるベランダ等に設置され、物干竿を掛架して使用する物干装置が公知である。例えば、竿を受ける竿受部が設けられたアーム部材と、建築物に直接または間接的に取り付けられるベース部材と、ベース部材に設けられアーム部材を保持する保持部と、保持部の先端付近に位置した支持部とからなり、アーム部材は、内側に竿受部が形成された枠部と、枠部の内側に形成され支持部が位置した作動空間が設けられ、枠部の基端側の内側には、アーム部材が垂直以外の所定の角度で支持部に上方から当接する複数の軸受け部が設けられ、枠部の基端側の外側には、アーム部材の自重により軸受け部を中心として回転させる力に抗してベース部材または保持部に当接する係止部が設けられ、この係止部が当接するベース部材または保持部の所定箇所には係止部が当接して固定される受け部が設けられる物干装置が公知である（特許文献１参照）。
【０００３】
これにより、簡単な構造で確実に竿や洗濯物を保持し、しかも収納時にはアーム部材を簡単に垂直方向に収納し倒しておくことができるので、操作が容易で突出量が小さく邪魔にならないものである。また、簡単な操作でアーム部材の角度を変えることができるものである。
【先行技術文献】
【特許文献】
【０００４】
【特許文献１】特許第４０６４８３９号
【発明の概要】
【発明が解決しようとする課題】
【０００５】
しかしながら、上記構造では、アーム部材の角度を水平状態及び上方傾斜状態の２段階に調節できるものであるが、特にマンション等の１階において使用される場合にあっては、アーム部材を水平状態に保持しても、洗濯物が見えてしまう虞があった。また、物干装置を構成するアーム部材とベース部材は、アルミニウム又はその合金で形成されているので、角度調節の際の作動音が不快となる虞もあった。更に、ベース部材に対するアーム部材の支持は、２箇所の受け部においてなされるのみであり、耐久性が懸念されるものであった。
【０００６】
そこで、本発明はこのような問題点を解決するものであって、簡易な構造を採用してアーム部材の角度調節を可能にするとともに、耐久性の向上を図り、作動時における作動音を低減し、静音性に優れた物干装置を提供することを課題とする。
【課題を解決するための手段】
【０００７】
前記問題点を解決するために、本発明の請求項１に記載の物干装置は、内側に竿を受ける竿受部が設けられた枠部を有するアーム部材と、建築物に直接または間接的に取り付けられるベース部材とからなり、前記ベース部材は、前記建築物に取り付けられる取付部と、前記アーム部材を保持する保持部と、前記保持部の先端付近に位置した支持部とを備え、前記アーム部材は、前記枠部の基端側の内側には、前記アーム部材が垂直以外の所定の角度で前記支持部に上方から当接する複数の受け部が設けられ、前記枠部の基端側の外側には、前記アーム部材の自重により前記受け部を中心として回動させる力に抗して前記保持部に当接する係止部が設けられ、前記係止部が当接する前記保持部の所定箇所には前記係止部が当接して固定される突部が設けられる物干装置において、前記枠部に設けられる前記係止部は、前記アーム部材の自重により前記受け部を中心として回動させる力に抗して前記突部と当接する略円弧状の当接壁面上であって、前記当接壁面から前記枠部の外側方向に突出し間隙を有して配置され、前記受け部近傍に設けられる第１係止部と、前記第１係止部の下方位置に設けられる第２係止部とを備え、前記取付部と一体に形成される前記保持部は、互いに所定間隔を有して対向する一対の側壁面を備え、前記側壁面の内壁面には内側へ突出する一対の前記支持部及び前記突部が設けられ、前記突部は、前記当接壁面及び前記係止部に当接可能な形状を有し垂直方向の上方から下方に間隙を有して順に配置される第１突部と第２突部とを備え、前記アーム部材における一部の枠部を間断する間隙部に前記枠部の内側面より内側方向に突出する突起部を有する封止部材を着脱可能に固着し、前記受け部に対する前記支持部の配置を調節し、前記第１突部と前記第２突部との間に前記第１係止部又は前記第２係止部を配置して下方より前記第１突部に当接させるとともに、前記当接壁面を前記第１突部及び前記第２突部に当接にさせることで前記アーム部材を支持する上方又は下方傾斜状態と、前記第２係止部を下方より前記第２突部に当接させるとともに、前記当接壁面を前記第１突部及び前記第２突部に当接にさせることで前記アーム部材を支持する水平状態と、前記支持部が前記アーム部材の枠部の内側に位置し、前記支持部に沿って前記アーム部材が当該長手方向であって垂直方向に移動可能に設けられ、前記突起部が前記支持部に当接して前記アーム部材が係止する垂直状態とを、選択的に調節可能にしたことを特徴とするものである。
【０００８】
また、本発明の請求項２に記載の物干装置は、請求項１に記載の物干装置において、前記保持部における互いに対向する一対の内壁面において、前記内壁面と前記突部と前記支持部とを覆設するカバー部材を備えるものである。
【発明の効果】
【００１０】
本発明の物干装置では、簡易な構造を採用することで、アーム部材の角度調節を３段階に調節可能にするとともに、アーム部材を垂直方向に配置して収納することができる。また、水平状態、傾斜状態におけるベース部材に対するアーム部材は、アーム部材に係止部と当接壁面を設けることで複数箇所にて当接支持する。これにより、物干竿及び洗濯物の重みによる負荷力を分散することができるので、耐久性に優れたものとなる。更に、ベース部材には、合成樹脂等で形成したカバー部材を嵌合させるので、アーム部材の角度調節作動時における作動音を低減し、静音性に優れたものとすることができる。
【図面の簡単な説明】
【００１１】
【図１】本発明の実施例における物干装置の斜視図である。
【図２】本発明の実施例における物干装置の正面図である。
【図３】本発明の実施例における物干装置の図２のＡ−Ａ拡大断面図である。
【図４】本発明の実施例における物干装置の分解斜視図である。
【図５】本発明の実施例における物干装置のベース部の縦断面斜視図である。
【図６】本発明の実施例における物干装置のベース部の縦断面図である。
【図７】本発明の実施例における物干装置のカバー部材の（ａ）正面斜視図、（ｂ）背面斜視図である。
【図８】本発明の実施例における物干装置のアーム部材を水平状態に支持した一部断面説明図である。
【図９】本発明の実施例における物干装置のアーム部材を上方傾斜状態に支持した一部断面説明図である。
【図１０】本発明の実施例における物干装置のアーム部材を下方傾斜状態に支持した一部断面説明図である。
【図１１】本発明の実施例における物干装置のアーム部材を垂直状態に支持した一部断面説明図である。
【発明を実施するための形態】
【００１２】
以下、本発明の実施の形態における物干装置を図面に基づいて説明する。
【実施例】
【００１３】
本発明に係る物干装置は、図１、図２及び図４に示すように、建物におけるベランダ等に設置され、物干竿（図示しない）を掛架して使用されるものである。物干装置１０は、ベース部材２０と、カバー部材３０と、アーム部材４０と、封止部材５０とから構成される。
【００１４】
ベース部材２０は、建物におけるベランダ等に設置されるものである。ベース部材２０は、図５及び図６に示すように、取付部２１と、側壁部２３と連結壁部２４とからなる保持部２２と、保持部２２に設けられる支持部２５及び複数の突部とを備えている。ベース部材２０は、例えばアルミニウムダイキャスト製で一体とされる。
【００１５】
取付部２１は略四角状に形成され、長手方向の両端部にボルト等の固定手段によりベランダ等に固着する為の貫通孔２１ａが設けられる。また、取付部２１における長手方向の略中央部には、取付部２１と直交するようにして保持部２２が立設してなる。取付部２１は、貫通孔２１ａが垂直に配列されるようにしてベランダ等に設置される。
【００１６】
保持部２２は、互いに対向するように配置される一対の側壁部２３が取付部２１側の端部にて連結壁部２４によって連結され、取付部２１と一体に形成されてなる。連結壁部２４によって連結されない保持部２２の先端部は、アーム部材４０が垂直方向に移動可能な開口部２２ａとされる。
【００１７】
また、保持部２２における垂直方向の上方側であって、開口部２２ａ側における側壁部２３の対向する内壁面には、後述するアーム部材４０を支持する一対の支持部２５がそれぞれ突出して設けられる。更に、支持部２５より下方の内壁面には、複数の突部が設けられる。本実施例においては、例えば支持部２５は、略四角状に形成される。
【００１８】
具体的には、取付部２１側における側壁部２３の対向する内壁面であって、保持部２２における垂直方向の略中央部には、第１突部２６が設けられ、下方側には第２突部２７が設けられる。第１突部２６及び第２突部２７は、後述するアーム部材４０の回動を規制するものであり、アーム部材４０の係止部４３及び当接壁面４５が当接し得る形状であればよい趣旨である。本実施例においては、例えば第１突部２６は、略四角状に形成される。第２突部２７は、略五角形状に形成され、開口部２２ａ側に向けて先細りとなる傾斜面２７ａが設けられる。当該傾斜面２７ａは、第１突部２６における開口部２２ａ側の端面の位置より開口部２２ａ側に位置する。
【００１９】
また、支持部２５、第１突部２６及び第２突部２７は、アーム部材４０を支持する為、若しくはアーム部材４０の回動を規制する為、強度を向上させて側壁部２３と一体とされる。具体的には、第１突部２６及び第２突部２７は、取付部２１側においてそれぞれ略コ字状の連結部２１ｂで連結される。また、支持部２５の周縁部には、肉厚段部２３ａが形成される。
【００２０】
カバー部材３０は、ベース部材２０における保持部２２の内壁面に設置され、支持部２５及び突部に嵌合されるものである。カバー部材３０は、図７に示すように、側壁部２３の内壁面と略同形状に形成され、例えば合成樹脂等からなる。
【００２１】
具体的には、保持部２２の支持部２５に対応する側壁部３１の位置に支持部３２が設けられる。同様にして、保持部２２の突部に対応する側壁部３１の位置に第１突部３３、第２突部３４が設けられる。第２突部３４には、先細りとなる傾斜面３４ａが設けられる。また、側壁部３１における上下端部には縁部３５が設けられる。当該縁部３５は、ベース部２０に装着された際、連結壁部２４と当接し、カバー部材３０の可動を規制する部分となる。また、同図（ｂ）に示すように、支持部３２等が形成されない側壁部３１の裏面側には、撓み防止の為の突状部３６が複数箇所に設けられる。
【００２２】
アーム部材４０は、ベース部材２０に取り付けられ、物干竿（図示しない）を掛架するものである。アーム部材４０は、図４、図８から図１０に示すように、ベース部材２０における保持部２２の側壁面２３にカバー部材３０が装着された状態で、ベース部材２０に取り付けられる。アーム部材４０は、複数の竿受部４１と、支持部３２と係合する受け部４２と、突部と係合する係止部４３とを備えている。アーム部材４０は、ベース部材２０と同様にしてアルミニウムダイキャスト製で一体とされる。
【００２３】
アーム部材４０は、略長方形状からなり、肉厚部とされる外周縁部は枠部４０ａとされ、枠部４０ａの内側に肉薄部４０ｂが形成される。肉薄部４０ｂは、保持部２２における対向する支持部３２同士の間隙よりも薄く形成される。また、肉薄部４０ｂには、アーム部材４０の長手方向に沿って、物干竿（図示しない）を挿通する為の複数の竿受部４１が等間隔で設けられる。
【００２４】
更に、枠部４０ａの上方側には、枠部４０ａの一部を間断する間隙部４０ｃが設けられる。当該間隙部４０ｃは、保持部２２における支持部３２が挿通できるように形成される。また、当該間隙部４０ｃの近傍には、貫通孔４０ｄが設けられる。間隙部４０ｃには、後述する封止部材５０が固着される。
【００２５】
また、枠部４０ａにおける一端部の内側には、アーム部材４０が垂直以外の所定角度で保持部２２における支持部３２に上方から当接する複数の受け部４２が設けられる。具体的には、アーム部材４０の水平状態を支持する第１受け部４２ａと隣接する枠部４０ａの他端部側に、第２受け部４２ｂが設けられる。第２受け部４２ｂは、図９に示すように、アーム部材４０の上方傾斜状態を支持するものである。また、第１受け部４２ａと隣接する枠部４０ａの一端部側には、第３受け部４２ｃが設けられる。第３受け部４２ｃは、図１０に示すように、アーム部材４０の下方傾斜状態を支持するものである。
【００２６】
例えば、アーム部材４０の水平状態において、第１受け部４２ａは、支持部３２における上端面及び取付部２１側の端面の一部に当接するようにして略Ｌ字状に形成される。また、アーム部材４０の上方傾斜状態において、第２受け部４２ｂは、支持部３２における角部に当接するようにして略Ｌ字状に形成される。更に、アーム部材４０の下方傾斜状態において、第３受け部４２ｃは、支持部３２における上端面及び取付部２１側の端面の一部に当接するようにして略Ｌ字状に形成される。すなわち、略Ｌ字状の受け部が所定角度を有した状態で連設されてなる。各受け部は、支持部３２に対する位置決めとなるよう、少なくとも当該角部に当接すればよい趣旨である。これらの支持状態については、後述する。
【００２７】
更に、枠部４０ａにおける一端部の外側には、アーム部材４０の自重により受け部を中心として回動させる力に抗して保持部２２における第１突部２６、第２突部２７に当接する複数の係止部４３が設けられる。枠部４０ａの上方側であって、受け部４３の近傍には第１係止部４３ａが設けられ、枠部４０ａの下方側には第２係止部４３ｂが設けられる。第１係止部４３ａ、第２係止部４３ｂは、例えば略四角状に形成される。
【００２８】
係止部４３は、例えば枠部４０ａに切欠部４４を設けることで形成されるものであり、枠部４０ａの外周側面は保持部２２における突部と当接し得る円弧状の当接壁面４５とされる。すなわち、当接壁面４５から枠部４０ｂの外側方向に突出するようにして係止部４３が設けられる。
【００２９】
封止部材５０は、アーム部材４０における間隙部４０ｃに固着され、当該間隙部４０ｃを封止するものである。封止部材５０は、図１、図２及び図４に示すように、略コ字状に形成される嵌合部５１から直交して一体に形成される突起部５２を有してなる。また、突起部５２には、アーム部材４０における貫通孔４０ｄに対応する貫通孔５３が設けられる。図２に示すように、封止部材５０がアーム部材４０に固着された状態において、突起部５２は、枠部４０ａの内側面より内側方向に突出するように設けられる。
【００３０】
このようにして構成される物干装置１０は、次のようにして組み立てられる。具体的には、建物におけるベランダ等に支持部２５が上方となるようベース部材２０を固定した状態において、図３及び図４に示すように、カバー部材３０を保持部２２における側壁面２３の支持部２５、第１突部２６及び第２突部２７に嵌合させる。そして、アーム部材４０を垂直方向に配置し、アーム部材４０の間隙４０ｃに支持部３２を挿通させた後、封止部材５０にて間隙４０ｃを封止し、封止部材５０をアーム部材４０に着脱可能にピン６０で固着する。
【００３１】
このようにして組み立てられる物干装置１０は、アーム部材４０を水平状態、上方又は下方の傾斜状態の３段階に角度調節して支持することができる。また、アーム部材４０を垂直方向に配置して収納することができる。以下に、アーム部材４０の角度調節について、図８から図１１に基づいて説明する。
【００３２】
図８は、物干装置１０のアーム部材４０を水平状態に支持した状態説明図である。当該状態においては、アーム部材４０の第１受け部４２ａが支持部３２の上方から当接するとともに、アーム部材４０の第２係止部４３ｂが下方より第２突部３４の傾斜面３４ａに当接して位置決めされ固定される。
【００３３】
これにより、物干竿（図示しない）及び洗濯物（図示しない）の重みによるアーム部材４０における反時計回りの回動を規制するようにして、支持部３２が第１受け部４２ａにて受け止められ、第２係止部４３ｂが第２突部３４の傾斜面３４ａに当接するとともに、第１係止部４３ａと第２係止部４３ｂの間に位置する当接壁面４５が第１突部３３及び第２突部３４と当接する。より詳細には、当接壁面４５が第１突部３３における開口部２２ａ側の端面と当接するとともに、第２突部３４の上方の傾斜面３４ａと当接する。よって、アーム部材４０はベース部材２０に対して水平状態に支持される。このとき、当該回動時における負荷力は、複数の当接箇所により分散されてベース部材２０に掛かる。
【００３４】
次に、アーム部材４０を傾斜状態に支持した物干装置１０について、図９及び図１０に基づいて説明する。図９は、物干装置１０のアーム部材４０を上方傾斜状態に支持した状態説明図である。当該状態においては、アーム部材４０の第２受け部４２ｂが支持部３２の上方から当接するとともに、アーム部材４０の第１係止部４３ａが下方より第１突部３３に当接して位置決めされ固定される。
【００３５】
これにより、同様にして、同図に示すアーム部材４０における反時計回りの回動を規制するようにして、支持部３２が第２受け部４２ｂにて受け止められ、第１係止部４３ａが第１突部３３に当接するとともに、第１係止部４３ａと第２係止部４３ｂの間に位置する当接壁面４５が上方より第２突部３４の傾斜面３４ａと当接する。更に、第１係止部４３ａの上方に位置する当接壁面４５が第１突部３３における開口部２２ａ側の端面と当接する。よって、当該負荷力は分散されてベース部材２０に掛かり、アーム部材４０はベース部材２０に対して上方傾斜状態に支持される。
【００３６】
図１０は、物干装置１０のアーム部材４０を下方傾斜状態に支持した状態説明図である。当該状態においては、アーム部材４０の第３受け部４２ｃが支持部３２の上方から当接するとともに、アーム部材４０の第２係止部４３ｂが下方より第１突部３３に当接して位置決めされ固定される。
【００３７】
これにより、同様にして、同図に示すアーム部材４０における反時計回りの回動を規制するようにして、支持部３２が第３受け部４２ｃにて受け止められ、第２係止部４３ｂが第１突部３３に当接するとともに、第２係止部４３ｂの下方に位置する当接壁面４５が上方より第２突部３４の傾斜面３４ａと当接する。更に、第１係止部４３ａと第２係止部４３ｂの間に位置する当接壁面４５が第１突部３３における開口部２２ａ側の端面と当接する。よって、当該負荷力は分散されてベース部材２０に掛かり、アーム部材４０はベース部材２０に対して下方傾斜状態に支持される。
【００３８】
最後に、アーム部材４０を垂直状態に支持した物干装置１０について、図１１に基づいて説明する。図１１は、物干装置１０のアーム部材４０を垂直状態に支持した状態説明図である。アーム部材４０を垂直状態とするには、ベース部材２０及びアーム部材４０における係止部、突部等の係合を解除した状態で、べース部材２０の垂直方向に沿うようにアーム部材４０を回動させて、垂直方向に配置する。そして、アーム部材４０に固着された封止部材５０の突起部５２が支持部３２の上方から当接するように、アーム部材４０を移動させる。このとき、アーム部材４０の枠部４０ａがカバー部材３０における支持部３２と縁部３５との間に位置する為、移動可能となる。当該状態においては、突起部５２が支持部３２の上方から当接するとともに、アーム部材４０の枠部４０ａがカバー部材３０の縁部３５と当接して位置決めされ固定される。よって、アーム部材４０はベース部材２０に対して垂直状態に支持される。
【００３９】
以上、説明した本発明に係る物干装置１０によれば、簡易な構造を採用することで、アーム部材４０の角度調節を３段階に調節可能にするとともに、アーム部材４０を垂直方向に配置して収納することができる。また、水平状態、傾斜状態におけるベース部材２０に対するアーム部材４０は、アーム部材４０に係止部４３と当接壁面４５を設けることで複数箇所にて当接支持する。これにより、物干竿及び洗濯物の重みによる負荷力を分散することができるので、耐久性に優れたものとなる。更に、ベース部材２０には、合成樹脂等で形成したカバー部材３０を嵌合させるので、アーム部材４０の角度調節作動時における作動音を低減し、静音性に優れたものとすることができる。
【００４０】
当該発明は、上述の実施形態の構成に限定されるものではなく、支持部、突部、受け部及び係止部の形状、寸法、材質等を適宜変更して実施することが可能である。また、一部構成を省略することができるし、一部抽出した構成とすることができるのは勿論である。
【符号の説明】
【００４１】
１０    物干装置
２０    ベース部材
２１    取付部
２２    保持部
２３    側壁面
２４    連結壁部
２５、３２  支持部
２６、３３  第１突部
２７、３４  第２突部
３０    カバー部材
４０    アーム部材
４０ａ  枠部
４０ｂ  肉薄部
４０ｃ  間隙部
４１    竿受部
４２    受け部
４３    係止部
４５    当接壁面
５０    封止部材
５２    突起部
【要約】
【課題】  簡易な構造を採用してアーム部材の角度調節を可能にするとともに、耐久性の向上を図り、作動時における作動音を低減し、静音性に優れた物干装置を提供する。
【解決手段】アーム部材とベース部材とからなり、ベース部材は、支持部を備え、アーム部材には複数の受け部と、アーム部材の自重により受け部を中心として回動させる力に抗して当接する係止部が設けられ、係止部が当接する箇所には突部が設けられる物干装置において、係止部は、当接壁面に第１係止部と第２係止部とを備え、突部は、当接壁面及び係止部に当接可能な第１突部と第２突部とを備え、アーム部材の枠部を間断する間隙部に枠部の内側面より内側方向に突出する突起部を有する封止部材を着脱可能に固着し、アーム部材の上方又は下方傾斜状態、水平状態若しくは垂直状態を選択的に調節可能にしたことを特徴とする物干装置。
【選択図】  図１【図１】
0005240379.tif 000002
【図２】
0005240379.tif 000003
【図３】
0005240379.tif 000004
【図４】
0005240379.tif 000005
【図５】
0005240379.tif 000006
【図６】
0005240379.tif 000007
【図７】
0005240379.tif 000008
【図８】
0005240379.tif 000009
【図９】
0005240379.tif 000010
【図１０】
0005240379.tif 000011
【図１１】
0005240379.tif 000012